(57)【要約】【課題】  室内に設置されている各種什器備品等の夫々に電子タグを取り付けて、それらの管理を行う場合、従来は電子タグの近傍に読取装置を移動させて夫々に記憶されているデータを読み取る必要があり、時間が掛かってしまう。【解決手段】  そこで本発明では、電子タグを、ＵＨＦ帯域の電波によりデータ通信する構成とすると共に、この電子タグと通信可能な第１のアンテナを、建物における管理対象の区画の適所に設置して、区画内の什器備品等の管理対象物品に取り付けた電子タグと通信可能に構成すると共に、区画には出入のためのゲートを設置し、このゲートに電子タグと通信可能な第２のアンテナを設置した電子タグを利用した什器備品や施設管理システムを提案する。【選択図】    図１
2005190299.tif 000002
【特許請求の範囲】
【請求項１】
電子タグを、ＵＨＦ帯域の電波によりデータ通信する構成とすると共に、この電子タグと通信可能な第１のアンテナを、建物における管理対象の区画の適所に設置して、区画内の什器備品等の管理対象物品に取り付けた電子タグと通信可能に構成すると共に、区画には出入のためのゲートを設置し、このゲートに電子タグと通信可能な第２のアンテナを設置したことを特徴とする電子タグを利用した什器備品や施設管理システム
【請求項２】
第１のアンテナは、区画内を走査することにより、全領域を通信可能領域としたことを特徴とする請求項１に記載の電子タグを利用した什器備品や施設管理システム
【請求項３】
第１のアンテナは、複数のアンテナにより、空間内の全領域を通信可能領域としたことを特徴とする請求項１又は２に記載の電子タグを利用した什器備品や施設管理システム
【請求項４】
ワイヤリングのダクトに沿った適所に電子タグを取り付けて管理することを特徴とする請求項１〜３までのいずれか１項に記載の電子タグを利用した什器備品や施設管理システム
【請求項５】
区画内のＯＡフロア下方のアウトレットに電子タグを取り付けて管理することを特徴とする請求項１〜３までのいずれか１項に記載の電子タグを利用した什器備品や施設管理システム
【発明の詳細な説明】
【技術分野】
【０００１】
本発明は、電子タグを利用した什器備品や施設管理システムに関するものである。
【背景技術】
【０００２】
近来、建物における什器備品や施設管理又は倉庫等における物品の入出庫等を管理する等の目的で、ＩＣチップとアンテナから構成される電子タグ（ＲＦ−ＩＤ…Radio Frequency 
IDentification）の利用が拡大しつつある。
【０００３】
例えば特許文献１は、電子タグを物品管理システムに利用した従来例であり、これは、搬送される荷物に電子タグを添付し、搬送路の途中に設けられた電子タグ読取装置によって電子タグに書き込まれている荷物に関するデータを読み取り、制御部を介してディスプレイ装置にそのデータを表示し、作業者は、各荷物の表示データを見ながら管理することにより、多数の物品を適切に管理することができるというものである。
【特許文献１】特開２００２−２７４６４７号公報
【０００４】
一方、現在日本において電子タグに利用されている周波数は以下に示すとおりである。
１３５ｋＨｚ：スキーゲート、自動倉庫、食堂精算等
１３．５６ＭＨｚ：交通系カードシステム、行政カードシステム、ＩＣカード公衆電話、入退室管理システム等
２．４５ＧＨｚ：物流管理、製造物履歴管理、物品管理、車両管理等
【０００５】
以上の周波数を利用した電子タグにおけるデータの通信可能距離は、長くても１ｍ 程度であるので、より長距離の通信を可能とするべく、ＵＨＦ帯域（４３３ＭＨｚ，８００／９００ＭＨｚ）の周波数の導入の可能性が検討されており、このような周波数の利用が導入されると、〜１０ｍ程度の通信が可能となる。
【発明の開示】
【発明が解決しようとする課題】
【０００６】
現在利用されている周波数の電子タグを利用したシステムでは、通信可能距離が短いために、電子タグに対してのデータの読み取り又は書き込みに際しては、電子タグを電子タグ読取装置に近づける動作が必須である。
【０００７】
そのため室内に設置されている各種什器備品等の夫々に電子タグを取り付けて、それらの管理を行う場合には、それらの什器備品等に取り付けている電子タグの近傍に読取装置を移動させて夫々に記憶されているデータを読み取る必要があり、時間が掛かってしまう。
【０００８】
またワイヤリングの管理や、ＯＡフロアの下方に埋もれたアウトレットの位置探査等に利用するのも比較的困難である。
【０００９】
一方、什器備品の管理データをデータベース化して資産管理をおこなうＣＡＦＭ（Computer
Aided Facility Management）システムも現存するが、実際の什器備品と、データベース上のデータとの連携が取れないので、データの更新や現物との突き合わせ作業が必要で、これが非常に煩雑である。
本発明はこのような課題を解決することを目的とするものである。
【課題を解決するための手段】
【００１０】
上述した課題を解決するために、本発明では、電子タグを、ＵＨＦ帯域の電波によりデータ通信する構成とすると共に、この電子タグと通信可能な第１のアンテナを、建物における管理対象の区画の適所に設置して、区画内の什器備品等の管理対象物品に取り付けた電子タグと通信可能に構成すると共に、区画には出入のためのゲートを設置し、このゲートに電子タグと通信可能な第２のアンテナを設置したことを特徴とする電子タグを利用した什器備品や施設管理システムを提案する。
【００１１】
また本発明では、上記システムにおいて、第１のアンテナは、区画内を走査することにより、全領域を通信可能領域とすることを提案する。
【００１２】
また本発明では、上記システムにおいて、第１のアンテナは、複数のアンテナにより、空間内の全領域を通信可能領域とすることを提案する。
【００１３】
また本発明では、以上のシステムにおいて、ワイヤリングのダクトに沿った適所に電子タグを取り付けて管理することを提案している。
【００１４】
また本発明では、以上のシステムにおいて、区画内のＯＡフロア下方のアウトレットに電子タグを取り付けて管理することを提案する。
【発明の効果】
【００１５】
本発明では、電子タグは、ＵＨＦ帯域の電波によりデータ通信する構成としているので通信可能距離が長い。そして、この電子タグと通信可能な第１のアンテナを、建物における管理対象の区画の適所に設置して、区画内の什器備品等の管理対象物品に取り付けた電子タグと通信可能に構成しているので、第１のアンテナを介して読み取った各電子タグの記録内容から、区画内の全ての管理対象物品の管理用データを必要に応じてリアルタイムに収集して管理することができる。
【００１６】
その場合、区画内の電子タグとのデータ通信を行う第１のアンテナは、区画内を走査することにより、全領域を通信可能領域としたり、又は複数個所に設置した複数のアンテナにより、空間内の全領域を通信可能領域としているので、電子タグと通信した際の走査位置との対応関係により、当該電子タグの存在位置、従ってその電子タグを取り付けている管理対象物品の位置を、ある程度で検出することができる。この存在位置の検出精度は、アンテナの指向角を挟角としたり、又はアンテナの数を多くする等により高くすることができる。
【００１７】
こうして本発明では、リアル空間、即ち、実際の什器備品等の管理対象物品の配置と、上記ＣＡＦＭシステム等のデータベース上のバーチャル空間の管理対象物品の配置とを関連付けて管理することが容易であり、ＦＭのデータの自動的なメンテナンスを行うこともできる。
【００１８】
さらに、第１のアンテナを用いて、ワイヤリングのダクトに沿った適所に電子タグを取り付けて管理したり、区画内のＯＡフロア下方のアウトレットに電子タグを取り付けて管理することが可能である。
【００１９】
一方、本発明では、区画の出入りのためのゲートに第２のアンテナを設置しているので、この第２のアンテナによりゲートを通過する什器備品等の管理対象物品に取り付けた電子タグと通信することにより、区画に対しての管理対象物品の出入りの管理を行うことができる。従って、什器備品等の管理対象物品の運び出しをチェックして、盗難の監視を行うことができる。
【００２０】
また第２のアンテナは、電子タグ付きカード等として構成された電子タグを携行している人のチェックに利用することもでき、人の出入管理システムを構成することもできる。
【実施例１】
【００２１】
次に本発明の電子タグを利用した什器備品や施設管理システムの実施例を図１〜図３を参照して説明する。尚、図１は全体の概念図、図２は第１のアンテナの部分の説明図、図３は室内の平面図である。
符号１は対象とする区画、例えば室を示すもので、この室（空間）１の天井２に、電子タグ３との第１のアンテナ５を設置している。電子タグ３は上述したとおりＵＨＦ帯域の電波によりデータ通信する構成のものであり、第１のアンテナ５は、その帯域に適合させている。この第１のアンテナ５は符号６で示す指向角の指向性パターンを有するもので、本体支持部４は、この第１のアンテナ５を垂直な回転軸７の周りに水平方向に回転可能に支持して、カバー８により覆っており、この第１のアンテナ５の回転により、指向方向を連続的に変化させて室１内の全領域を通信可能領域としている。
そして第１のアンテナ５はセンター装置９と接続されており、センター装置９においてデータベースシステム１０にデータ通信の内容が入力されて各種処理が行われるように構成されている。
【００２２】
符号１１（１１ａ，１１ｂ，１１ｃ，１１ｄ，…）は什器備品を示すもので、例えば１１ａは机、１１ｂは椅子、１１ｃはパーソナルコンピュータ、１１ｄはキャビネットであり、これらの什器備品１１（１１ａ，１１ｂ，１１ｃ，１１ｄ，…）の夫々に電子タグ３を取り付けている。図３においては一部の什器備品１１については便宜上、電子タグ３の図示を省略しているが、管理する全ての什器備品１１に電子タグ３を取り付けている。
【００２３】
符号１２は室１への扉を有する出入口、即ち、室１のゲートであり、この出入口１２の適所に、上記電子タグ３と通信可能な第２のアンテナ１３を設置しており、第１のアンテナ１３は第１のアンテナ５と同様にセンター装置９と接続されており、センター装置９においてデータベースシステム１０にデータ通信の内容が入力されて各種処理が行われるように構成されている。
【００２４】
以上の構成において、第１のアンテナ５を水平に回転させて室１内を走査することにより、室１内に設置されている什器備品１１に取り付けられている電子タグ３とデータ通信を行うことができ、こうして電子タグ３に記憶されているデータはセンター装置９に送られ、センター装置９において、データベースシステム１０に室１内に存在する全ての電子タグ３のデータを必要に応じてリアルタイムに収集して管理することができる。
【００２５】
その場合、室１内の電子タグ３とのデータ通信を行う第１のアンテナ５は、室１内を走査することにより、室１内の全領域を通信可能領域としているので、電子タグ３と通信した際の走査位置との対応関係により、当該電子タグ３の存在位置、従ってその電子タグ３を取り付けている什器備品１１の位置を、ある程度で検出することができる。この存在位置の検出精度は、第１のアンテナ５の指向角を挟角としたり、又は第１のアンテナ５の数を多くする等により高くすることができる。
【００２６】
こうして本発明では、リアル空間、即ち、実際の什器備品１１等の管理対象物品の配置と、上記センター装置９に構成しているＣＡＦＭシステム等のデータベースシステム１０上のバーチャル空間の管理対象物品の配置とを関連付けて管理することが容易であり、ＦＭのデータの自動的なメンテナンスを行うこともできる。
【００２７】
さらに、図示は省略しているが、ワイヤリングのダクトに沿った適所に電子タグを取り付けたり、又はＯＡフロア下方のアウトレットに電子タグを取り付ければ、室内の第１のアンテナ５を用いて、これらの電子タグとデータ通信を行うことにより、センター装置９により、これらの管理を行うこともできる。
【００２８】
一方、本発明では、室１の出入口１２に第２のアンテナ１３を設置しているので、この第２のアンテナ１３により出入口１２を通過する什器備品１１等の管理対象物品に取り付けた電子タグ３と通信することにより、センター装置９において、室１に対しての管理対象物品の出入りの管理を行うことができる。従って、什器備品１等の管理対象物品の運び出しをチェックして、盗難の監視を行うことができる。
【００２９】
また第２のアンテナ１３は、電子タグ付きカード等として構成された電子タグ１４を携行している人１５のチェックに利用することもでき、センター装置９に人の出入管理システムを構成することもできる。
【００３０】
さらに第１のアンテナ５は、室１内に存在する電子タグ１４を携行している人１５の検知にも利用することができる。
【００３１】
以上に説明した実施例では、第１のアンテナ５は室１内の全領域を電子タグ３又は１４との通信可能領域とするために、単数又は少数を走査する構成としているが、その他の実施例としては、図示を省略するが、第１のアンテナ５を、室１内の複数個所に設置し、複数のアンテナにより、室１内の全領域を通信可能領域とすることもできる。
【産業上の利用可能性】
【００３２】
本発明は以上のとおり、電子タグは、ＵＨＦ帯域の電波によりデータ通信する構成としているので通信可能距離が長い。そして、この電子タグと通信可能な第１のアンテナを、建物における管理対象の区画の適所に設置して、区画内の什器備品等の管理対象物品に取り付けた電子タグと通信可能に構成しているので、第１のアンテナを介して読み取った各電子タグの記録内容から、区画内の全ての管理対象物品の管理用データを必要に応じてリアルタイムに収集して管理することができる。
【００３３】
その場合、区画内の電子タグとのデータ通信を行う第１のアンテナは、区画内を走査することにより、全領域を通信可能領域としたり、又は複数個所に設置した複数のアンテナにより、空間内の全領域を通信可能領域としているので、電子タグと通信した際の走査位置との対応関係により、当該電子タグの存在位置、従ってその電子タグを取り付けている管理対象物品の位置を、ある程度で検出することができる。この存在位置の検出精度は、アンテナの指向角を挟角としたり、又はアンテナの数を多くする等により高くすることができる。
【００３４】
こうして本発明では、リアル空間、即ち、実際の什器備品等の管理対象物品の配置と、上記ＣＡＦＭシステム等のデータベース上のバーチャル空間の管理対象物品の配置とを関連付けて管理することが容易であり、ＦＭのデータの自動的なメンテナンスを行うこともできる。
【００３５】
さらに、第１のアンテナを用いて、ワイヤリングのダクトに沿った適所に電子タグを取り付けて管理したり、区画内のＯＡフロア下方のアウトレットに電子タグを取り付けて管理することが可能である。
【００３６】
一方、本発明では、区画の出入りのためのゲートに第２のアンテナを設置しているので、この第２のアンテナによりゲートを通過する什器備品等の管理対象物品に取り付けた電子タグと通信することにより、区画に対しての管理対象物品の出入りの管理を行うことができる。従って、什器備品等の管理対象物品の運び出しをチェックして、盗難の監視を行うことができる。
【００３７】
また第２のアンテナは、電子タグ付きカード等として構成された電子タグを携行している人のチェックに利用することもでき、人の出入管理システムを構成することもできる。
【図面の簡単な説明】
【００３８】
【図１】本発明の什器備品や施設管理システムの実施例を概念的に示す全体の説明図である。
【図２】図１のアンテナ部分の説明図である。
【図３】本発明を適用した室の平面図である。
【符号の説明】
【００３９】
１                  室（区画）
２                  天井
３，１４            電子タグ
４                  本体支持部
５                  第１のアンテナ
６                  指向角
７                  回転軸
８                  カバー
９                  センター装置
１０                データベースシステム
１１                什器備品（管理対象物品）
１２                出入口
１３                第２のアンテナ
１５                人
【図１】
2005190299.tif 000003
【図２】
2005190299.tif 000004
【図３】
2005190299.tif 000005